(57)【要約】【課題】リモコンを利用してＴＶ画面上に表示されるウェブページのオブジェクトを容易に選択及び操作でき、オブジェクト種類によって自動でリモコン入力モードが変更されるリモコンでオブジェクト選択可能なディスプレイ装置及びその方法を提供する。【解決手段】ユーザーのリモコン選択によって発生するリモコン信号を入力される入力部と、前記入力部からリモコン信号が受信されれば、前記受信されたリモコンのキーコード値チェック及び現在設定されたリモコンモードを判断及び変更するリモコンモード管理部と、前記ユーザーが発生させたリモコン信号によりリモコン動作を制御し、かつユーザーが選択したオブジェクトの種類によってリモコンモードを制御する制御部と、を含むリモコンでオブジェクト選択可能なディスプレイ装置。【選択図】図１
2005229594.tif 000002
【特許請求の範囲】
【請求項１】
ユーザーのリモコン選択によって発生するリモコン信号を入力される入力部と、
前記入力部からリモコン信号が受信されれば、前記受信されたリモコンのキーコード値チェック及び現在設定されたリモコンモードを判断及び変更するリモコンモード管理部と、
前記ユーザーが発生させたリモコン信号によりリモコン動作を制御し、かつユーザーが選択したオブジェクトの種類によってリモコンモードを制御する制御部と、を含むリモコンでオブジェクト選択可能なディスプレイ装置。
【請求項２】
前記リモコンのキーコード値は、設定されたリモコンモードを考慮して所定の機能を行う第１グループキーと、特定キーに設定された所定の機能を行う第２グループキーのうちいずれか一つである請求項１に記載のリモコンでオブジェクト選択可能なディスプレイ装置。
【請求項３】
前記第１グループキーは、キーイベントを通じてオブジェクトを操作する単純モード及びマウスカーソルを利用したマウスイベントを通じてオブジェクトを操作するマウスモードのうちいずれか一つである請求項２に記載のリモコンでオブジェクト選択可能なディスプレイ装置。
【請求項４】
前記リモコンモード管理部は、
前記入力部からリモコン信号が受信されれば、前記受信されたリモコン信号のキーコード値チェック、設定されたリモコンモードをチェック及びウェブページのローディング時にリモコンモードを単純モードにセットするリモコンモードチェックモジュールと、
前記リモコンモードチェックモジュールから伝送されたリモコンモードを保存し、前記制御部のモード設定要請によってリモコンモードを変更して保存するリモコンモード変更モジュールと、をさらに含む請求項１に記載のリモコンでオブジェクト選択可能なディスプレイ装置。
【請求項５】
前記制御部は、
前記ユーザーが発生させたリモコン信号によるリモコン動作を制御するイベント処理モジュールと、
前記ユーザーが選択したオブジェクトの種類を判断し、前記判断結果によってリモコンのモードを変更するオブジェクト判断モジュールと、をさらに含む請求項１に記載のリモコンでオブジェクト選択可能なディスプレイ装置。
【請求項６】
前記オブジェクトの種類がプラグ・イン・アプリケーションを必要とするオブジェクトである場合、リモコン入力方式をマウスモードにセットする請求項５に記載のリモコンでオブジェクト選択可能なディスプレイ装置。
【請求項７】
前記ユーザーが要請したウェブページ及び前記ユーザーが選択したオブジェクトを表示するディスプレイ部をさらに含む請求項１に記載のリモコンでオブジェクト選択可能なディスプレイ装置。
【請求項８】
ユーザーが要請したウェブページをディスプレイし、前記ユーザーが選択したリモコンキーコード値を判断する段階と、
前記判断結果、リモコンキーコード値が第１グループである場合、設定されたリモコンモードを判断し、前記設定されたリモコンモードによってオブジェクトを操作する段階と、
前記判断結果、リモコンキーコード値が第２グループである場合、前記ユーザーが選択した特定キーに設定された機能を行う段階と、を含むリモコンでオブジェクト選択可能なディスプレイ方法。
【請求項９】
前記リモコンモードは、キーイベントを通じてオブジェクトを操作する単純モード及び、マウスカーソルを利用したマウスイベントを通じてオブジェクトを操作するマウスモードのうちいずれか一つである請求項８に記載のリモコンでオブジェクト選択可能なディスプレイ方法。
【請求項１０】
前記設定されたリモコンモードによってオブジェクトを操作する段階は、
前記設定されたリモコンモードが単純モードであり、前記入力されたリモコンのキーコード値が方向キーである場合、選択フォーカスが位置したオブジェクトの次のオブジェクトに選択フォーカスを移動させる段階と、
前記設定されたリモコンモードが単純モードであり、入力されたリモコンのキーコード値が選択キーである場合、選択されたオブジェクトの種類を判断する段階と、を含む請求項８に記載のリモコンでオブジェクト選択可能なディスプレイ方法。
【請求項１１】
前記判断結果、入力されたリモコンのキーコード値が選択キーである場合に選択されたオブジェクトの種類を判断する段階は、
前記判断結果、ユーザーが選択したオブジェクトの種類がプラグ・イン・アプリケーションを必要とするオブジェクトである場合、リモコン入力方式をマウスモードに変更する段階と、
前記判断結果、ユーザーが選択したオブジェクトの種類がプラグ・イン・アプリケーションを必要とするオブジェクトではない場合、前記オブジェクトに連結されたＵＲＬに移動する段階と、を含む請求項１０に記載のリモコンでオブジェクト選択可能なディスプレイ方法。
【請求項１２】
前記設定されたリモコンモードによってオブジェクトを操作する段階は、
前記判断結果、設定されたリモコンモードがマウスモードである場合、リモコン入力をマウスイベントで動作させ、前記ユーザーが入力したボタン値を判断する段階と、
前記判断結果、ユーザーが選択したボタンが方向ボタンである場合、リモコン入力をマウス移動イベントで動作させ、マウスカーソルを所定の方向に移動させる段階と、
前記判断結果、ユーザーが選択したボタンが選択ボタンである場合、リモコン入力をマウスクリックイベントで動作させ、所定のオブジェクトを選択する段階と、を含む請求項８に記載のリモコンでオブジェクト選択可能なディスプレイ方法。
【請求項１３】
前記判断結果、リモコンキーコード値が第２グループである場合、前記ユーザーが選択した特定キーに設定された機能が行う段階は、
前記ユーザーが選択した特定キーが終了要請キーである場合、ユーザーが要請したウェブページを終了させる段階と、
前記ユーザーが選択した特定キーが取消し要請キーである場合、リモコンモードを単純モードに変更する段階と、を含む請求項８に記載のリモコンでオブジェクト選択可能なディスプレイ方法。
【発明の詳細な説明】
【技術分野】
【０００１】
本発明はリモコンでオブジェクト選択可能なディスプレイ装置及びその方法に係り、さらに詳細には、リモコンを利用してＴＶ画面上に表示されるウェブページのオブジェクトを容易に選択及び操作でき、オブジェクト種類によって自動でリモコン入力モードが変更されるリモコンでオブジェクト選択可能なディスプレイ装置及びその方法を提供する。
【背景技術】
【０００２】
最近、ＴＶの機能が発達し、かつ家庭へのインターネット普及率が高まるにつれてＴＶを利用したインターネット使用欲求が高まりつつある。
【０００３】
すなわち、地域情報を伝達するポータルサイトはもとより、一般的なウェブサイトを居間で大画面のＴＶを通じて見ようとするユーザーが増加しつつある。
【０００４】
一般的に、ＴＶはリモコンの操作を通じて所望のチャンネルを選択するが、ウェブページの場合、リモコンを通じて所望のテキストやコンテンツを選択及び操作し難いという問題点がある。
【０００５】
一方、ウェブページには、テキストやイメージ以外にプラグ・イン・アプリケーションにより処理されるコンテンツがある。これは＜ＯＢＪＥＣＴ＞タグで明示され、別途のブラウザーではない別途のアプリケーションによって取り扱われる。
【０００６】
前記プラグインの代表的な例としてフラッシュプレーヤーがあり、前記フラッシュプレーヤーはアニメを含むユーザーインターフェースとして活用され、その他にユーザーからのキーやマウス入力を処理する機能があってゲームに多く使われる。
【０００７】
以下、現在ＴＶまたはセットトップに搭載されたインターネットブラウザーを動作させる一般的な方法について説明する。
【０００８】
まず、マウス形態の２Ｄポジショニングを支援しないリモコンを利用する場合、リモコンの方向キーや特定キーを使用してＨＴＭＬコンテンツのうちアンカーが明示されたテキストまたはイメージにフォーカス移動を行い、所望の場合に選択ボタンを押して明示されたウェブサイトに移動する。
【０００９】
しかし、リモコンの方向キーや特定キーを利用してインターネットブラウザーを使用する場合、アンカーが明示されたテキストやイメージを扱うことは便利であるが、マウス入力を必要とするプラグインオブジェクトの機能は支援できないという問題点がある。
【００１０】
そして、２Ｄポジショニングを支援するリモコンを利用する場合、リモコンにトラックボールがあってトラックボールを動かして所望のテキストやイメージにカーソルを位置させた後、選択ボタンまたはマウスの左側ボタンに該当するボタンを押して明示されたウェブサイトに移動する。
【００１１】
しかし、リモコンにトラックボールがあってマウスの機能を行う場合、ＰＣのように制約なしにウェブページの内容をアクセスできるが、ＴＶでマウスインターフェースを使用することは煩わしいという問題点がある。
【００１２】
特許文献１（デジタルセットトップボックスと連係したリモコンポインティング装置）は、リモコン−ポインティングモード転換キーを具備し、ポインティングモード時に方向キーによってポインタを移動し、所定のキーを選択してクリックキーとして使用するデジタルセットトップボックスのリモコンポインティング装置を開示しているが、これは、ユーザーがインターネットを使用する度に、またはＴＶ画面を視聴する度にいちいちリモコンのモードをポインティングモードまたはリモコンモードに転換せねばならない面倒さが依然として残っている。
【特許文献１】韓国登録実用新案公報２０−０３１１０４３
【発明の開示】
【発明が解決しようとする課題】
【００１３】
本発明の目的は、リモコンを利用してＴＶ画面上に表示されるウェブページのオブジェクトを容易かつ便利に選択及び操作可能にすることである。
【００１４】
本発明の他の目的は、ウェブページのオブジェクト種類によって自動でリモコン入力モードが変更されるようにすることである。
【００１５】
本発明の目的は、以上で言及した目的に制限されず、言及されていないさらに他の目的は下の記載から当業者に明確に理解される。
【課題を解決するための手段】
【００１６】
前記目的を達成するために、本発明の実施例によるリモコンでオブジェクト選択可能なディスプレイ装置は、ユーザーのリモコン選択によって発生するリモコン信号を入力される入力部と、前記入力部からリモコン信号が受信されれば、前記受信されたリモコンのキーコード値チェック及び現在設定されたリモコンモードを判断及び変更するリモコンモード管理部と、前記ユーザーが発生させたリモコン信号によりリモコン動作を制御し、かつユーザーが選択したオブジェクトの種類によってリモコンモードを制御する制御部と、を含む。
【００１７】
また、前記リモコンのキーコード値は、設定されたリモコンモードを考慮して所定の機能を行う第１グループキーと、特定キーに設定された所定の機能を行う第２グループキーのうちいずれか一つである。
【００１８】
また、前記第１グループキーは、キーイベントを通じてオブジェクトを操作する単純モード及びマウスカーソルを利用したマウスイベントを通じてオブジェクトを操作するマウスモードのうちいずれか一つである。
【００１９】
また、前記リモコンモード管理部は、前記入力部からリモコン信号が受信されれば、前記受信されたリモコン信号のキーコード値チェック、設定されたリモコンモードをチェック及びウェブページのローディング時にリモコンモードを単純モードにセットするリモコンモードチェックモジュールと、前記リモコンモードチェックモジュールから伝送されたリモコンモードを保存し、前記制御部のモード設定要請によってリモコンモードを変更して保存するリモコンモード変更モジュールと、をさらに含む。
【００２０】
また、前記制御部は、前記ユーザーが発生させたリモコン信号によるリモコン動作を制御するイベント処理モジュールと、前記ユーザーが選択したオブジェクトの種類を判断し、前記判断結果によってリモコンのモードを変更するオブジェクト判断モジュールと、をさらに含む。
【００２１】
また、前記オブジェクトの種類がプラグ・イン・アプリケーションを必要とするオブジェクトである場合、リモコン入力方式をマウスモードにセットする。
【００２２】
また、前記ユーザーが要請したウェブページ及び前記ユーザーが選択したオブジェクトを表示するディスプレイ部をさらに含む。
【００２３】
本発明の実施例によるリモコンでオブジェクト選択可能なディスプレイ方法は、ユーザーが要請したウェブページをディスプレイし、前記ユーザーが選択したリモコンキーコード値を判断する段階と、前記判断結果、リモコンキーコード値が第１グループである場合、設定されたリモコンモードを判断し、前記設定されたリモコンモードによってオブジェクトを操作する段階と、前記判断結果、リモコンキーコード値が第２グループである場合、前記ユーザーが選択した特定キーに設定された機能を行う段階と、を含む。
【００２４】
また、前記リモコンモードは、キーイベントを通じてオブジェクトを操作する単純モード及び、マウスカーソルを利用したマウスイベントを通じてオブジェクトを操作するマウスモードのうちいずれか一つである。
【００２５】
また、前記設定されたリモコンモードによってオブジェクトを操作する段階は、 前記設定されたリモコンモードが単純モードであり、前記入力されたリモコンのキーコード値が方向キーである場合、選択フォーカスが位置したオブジェクトの次のオブジェクトに選択フォーカスを移動させる段階と、前記設定されたリモコンモードが単純モードであり、入力されたリモコンのキーコード値が選択キーである場合、選択されたオブジェクトの種類を判断する段階と、を含む。
【００２６】
また、前記判断結果、入力されたリモコンのキーコード値が選択キーである場合に選択されたオブジェクトの種類を判断する段階は、前記判断結果、ユーザーが選択したオブジェクトの種類がプラグ・イン・アプリケーションを必要とするオブジェクトである場合、リモコン入力方式をマウスモードに変更する段階と、前記判断結果、ユーザーが選択したオブジェクトの種類がプラグ・イン・アプリケーションを必要とするオブジェクトではない場合、前記オブジェクトに連結されたＵＲＬに移動する段階と、を含む。
【００２７】
また、前記設定されたリモコンモードによってオブジェクトを操作する段階は、前記判断結果、設定されたリモコンモードがマウスモードである場合、リモコン入力をマウスイベントで動作させ、前記ユーザーが入力したボタン値を判断する段階と、前記判断結果、ユーザーが選択したボタンが方向ボタンである場合、リモコン入力をマウス移動イベントで動作させ、マウスカーソルを所定の方向に移動させる段階と、前記判断結果、ユーザーが選択したボタンが選択ボタンである場合、リモコン入力をマウスクリックイベントで動作させ、所定のオブジェクトを選択する段階と、を含む。
【００２８】
また、前記判断結果、リモコンキーコード値が第２グループである場合、前記ユーザーが選択した特定キーに設定された機能が行う段階は、前記ユーザーが選択した特定キーが終了要請キーである場合、ユーザーが要請したウェブページを終了させる段階と、前記ユーザーが選択した特定キーが取消し要請キーである場合、リモコンモードを単純モードに変更する段階と、を含む。
【発明の効果】
【００２９】
本発明のオブジェクト選択が可能なリモコン装置及びその操作方法によれば、次のような効果が一つあるいはそれ以上ある。
【００３０】
第１に、リモコンを使用して容易かつ簡便にＴＶ画面上にディスプレイされたウェブページのオブジェクトを操作できる。
【００３１】
第２に、ウェブページのオブジェクト種類によって自動でリモコンモードが変更されるので、ユーザーがリモコンモードを変更するために毎度リモコンを操作する面倒さがない。
【００３２】
第３に、ハードウェア変更なしにソフトウェアの修正だけで容易にインターネット使用が可能である。
【００３３】
第４に、ポータルサイトを再構築せずとも容易にインターネットの使用及び制約のない機能の使用が可能である。
【発明を実施するための最良の形態】
【００３４】
以下、添付された図面を参照して本発明の望ましい実施例を詳細に説明する。
【００３５】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００３６】
図１は、本発明によるリモコンでオブジェクト選択可能なディスプレイ装置を概略的に示したブロック図であり、入力部１００、リモコンモード管理部２００、制御部３００及びディスプレイ部４００を含んで構成される。
【００３７】
入力部１００は、ユーザーのリモコン選択によって発生するリモコン信号を入力されるものである。
【００３８】
リモコンモード管理部２００は、入力部１００からリモコン信号が受信されれば、前記受信されたリモコン信号のキーコード値をチェックし、現在設定されたリモコンモードを判断及び変更するものであって、前記リモコン信号の受信時に前記受信されたリモコン信号のキーコード値をチェックし、設定されたリモコンモードをチェックする。また、ウェブページローディング時にリモコンモードを単純モードにセットするリモコンモードチェックモジュール２１０及び、前記リモコンモードチェックモジュール２１０から伝送されたリモコンモードを保存し、前記制御部３００のモード設定要請によってリモコンモードを変更して保存するリモコンモード変更モジュール２２０と、を含んで構成される。
【００３９】
ここで、前記リモコン信号のキーコード値は設定されたリモコンモードを考慮して所定の機能を行う第１グループキー（例えば、方向キー、選択キー及びその他のキーなど）及び特定キーに設定された所定の機能を行う第２グループキー（例えば、終了キー、取消しキー及びその他のキーなど）として理解されうる。また、前記第１グループキーは、キーイベントを通じてオブジェクトを操作する単純モード及びマウスカーソルを利用したマウスイベントを通じてオブジェクトを操作するマウスモードとして理解されうる。
【００４０】
制御部３００は、前記ユーザーが発生させたリモコン信号によるリモコン動作制御及びユーザーが選択したオブジェクトの種類によってリモコンモードを制御する。前記ユーザーが発生させたリモコン信号によるリモコン動作を制御するイベント処理モジュール３１０及び、前記ユーザーが選択したオブジェクトの種類を判断し、前記判断結果によってリモコンのモードを変更するオブジェクト判断モジュール３２０を含んで構成される。
【００４１】
すなわち、イベント処理モジュール３１０は、前記リモコンモードチェックモジュールが受信されたリモコン信号のキーコード値をチェックして、ユーザーが入力したキーコード値が第１グループキーであるかまたは第２グループキーであるかを判断し、該当グループのリモコンモード及び特定キー値によってリモコン動作を制御する。ここで、リモコンモードは単純モード及びマウスモードとして理解され、特定キー値はウェブページの終了を要請する終了要請キー、マウスモードの解約を要請する取消し要請キー及び所定の機能が設定されたその他のキーとして理解されうる。
【００４２】
そして、前記オブジェクト判断モジュール３２０は、前記ユーザーが選択したオブジェクトの種類を判断した結果、オブジェクトの種類がプラグ・イン・アプリケーションを必要とするオブジェクト、例えば、フラッシュで使われるオブジェクト（動画像、ゲームなど）である場合、リモコン入力方式をマウスモードにセットし、判断結果、オブジェクトの種類がプラグ・イン・アプリケーションを必要としないオブジェクト、例えば、テキストで具現されたウェブページ（テキストアンカーなど）である場合、リモコン入力方式を単純モードにセットする。
【００４３】
ディスプレイ部４００は、ユーザーが要請したウェブページ及び前記ユーザーが選択したオブジェクトに連結されたページを表示する。
【００４４】
図２は、本発明によるリモコンでオブジェクト選択可能なディスプレイ方法を概略的に示したフローチャートであって、まず、ユーザーが所定のウェブページを要請すれば、該当ウェブページをＴＶ画面に表示する（Ｓ１００）。ここで、リモコンモードチェックモジュール２１０は、リモコンモードを単純モードにセットする。
【００４５】
次いで、入力部１００は、ユーザーのリモコン入力受信如何をチェックするが（Ｓ１１０）、前記ユーザーが入力したリモコン信号がチェックされない場合にはユーザーのリモコン入力を待機し（Ｓ１２０）、前記ユーザーが入力したリモコン信号がチェックされれば、前記ユーザーが入力したリモコン信号のキーコード値をチェックする。
【００４６】
次いで、前記チェックされたキーコード値が第１グループキーに該当するキーコード値であるか、または第２グループキーに該当するキーコード値であるかを判断する（Ｓ１３０）。
【００４７】
前記判断結果、第１グループキーに該当するキーコード値である場合、リモコンモードチェックモジュール２１０は現在設定されたリモコンモードをチェックし（Ｓ１４０）、もし前記判断結果、第２グループキーに該当するキーコード値である場合、現在設定されたリモコンモードに関係なく選択されたキーに設定された機能が何かをチェックして該当特定機能を行う（Ｓ１７０）。ここで、段階Ｓ１７０過程は下記図４で詳細に説明する。
【００４８】
前記現在設定されているモードが単純モードである場合には、入力されたリモコン信号についてのリモコン入力をキーイベントで動作させ、現在設定されているモードがマウスモードである場合には、入力されたリモコン信号についてのリモコン入力をマウスイベントで動作させる。
【００４９】
まず、前記ユーザーが入力したリモコン信号のキーコード値が第１グループキーに該当するキーコード値である場合、現在設定されているリモコンモードをチェックするが、前記現在設定されたリモコンモードをチェックした結果、単純モードと設定されればリモコン入力をキーイベントで動作させる（Ｓ１５０）。ここで、前記キーイベントは方向キー、選択キー及びその他のキーなどとして理解されうる。
【００５０】
前記ユーザーが入力したキーコード値が方向キーである場合（Ｓ１５１）、イベント処理モジュール３１０は、選択フォーカスが位置したオブジェクトの周辺に位置したオブジェクトに選択フォーカスを移動させる（Ｓ１５１）。
【００５１】
例えば、ユーザーが左側方向の方向キーを選択したならば、現在選択フォーカスが位置したオブジェクトの左側に位置したオブジェクトに選択フォーカスが移動する。
【００５２】
一方、前記ユーザーが入力したキーコード値が選択キーである場合（Ｓ１５３）、オブジェクト判断モジュール３２０は、ユーザーが選択したオブジェクトの種類を判断する（Ｓ１５４）。
【００５３】
前記判断結果、ユーザーが選択したオブジェクトの種類がプラグ・イン・アプリケーションを必要とするオブジェクト、例えば、フラッシュで使われるオブジェクトである場合（Ｓ１５５）、オブジェクト判断モジュール３２０は、リモコン入力方式をマウスモードに変更するようにリモコンモード変更モジュール２２０に要請する。
【００５４】
これにより、リモコンモード変更モジュール２２０は、リモコンモードをマウスモードに変更し（Ｓ１５６）、この後、ユーザーが入力したリモコン信号はマウスイベントで動作される。
【００５５】
もし、前記判断結果ユーザーが選択したオブジェクトの種類がプラグ・イン・アプリケーションを必要としないオブジェクト、例えば、テキストで具現されたウェブページである場合には、リモコン入力方式はそのまま単純モードで動作され、ユーザーが選択した該当テキストに連結されたＵＲＬに移動する（Ｓ１５７）。
【００５６】
一方、前記ユーザーが入力したキーコード値がその他のキーである場合、選択されたキーに設定された特定機能を行う（Ｓ１５８、Ｓ１５９）。
【００５７】
次いで、前記現在設定されたリモコンモードをチェックした結果、マウスモードに設定されれば、リモコン入力をマウスイベントで動作させる（Ｓ１６０）。ここで、前記マウスイベントは方向ボタン、選択ボタン及びその他のボタンなどとして理解され、以下、図３を参照してマウスイベントで動作する方法を説明する。
【００５８】
まず、ユーザーが選択したボタンが方向ボタンである場合（Ｓ１６１）、イベント処理モジュール３１０は、リモコン入力をマウス移動イベントで動作させ（Ｓ１６２）、それにより、ユーザーが選択した方向ボタンの方向にマウスカーソルが移動する（Ｓ１６３）。
【００５９】
例えば、ユーザーが左側方向ボタンを選択したならば、現在マウスカーソルが位置したフラッシュ画面の左側にマウスのカーソルが移動する。すなわち、左側方向ボタンを押し続けばマウスカーソルは左側に移動し続ける。
【００６０】
一方、前記ユーザーが選択したボタンが選択ボタンである場合（Ｓ１６４）、イベント処理モジュール３１０は、リモコン入力をマウスクリックイベントで動作させ（Ｓ１６５）、それにより、ユーザーがフラッシュ画面で選択しようとするオブジェクトを容易に選択可能にする（Ｓ１６６）。すなわち、方向ボタンを通じて所望の位置に移動した後、選択ボタンで該当オブジェクトを選択できてオブジェクト操作が容易である。
【００６１】
一方、前記ユーザーが選択したボタンが所定の機能が設定されたその他のボタンである場合（Ｓ１６７）、イベント処理モジュール３１０は選択されたボタンに設定された特定機能を行う（Ｓ１６８）。
【００６２】
次いで、前記ユーザーが入力したリモコン信号のキーコード値が第２グループキーに該当するキーコード値である場合（Ｓ１７０）、イベント処理モジュール３１０は、ユーザーが選択した特定キーに設定された機能が何かを判断する。ここで、特定キーは終了要請キー、取消し要請キー及びその他のキーとして理解され、以下、図４を参照して第２グループキー選択時の動作方法を説明する。
【００６３】
前記判断結果、ユーザーが選択した特定キーが終了要請キーである場合、イベント処理モジュール３１０はディスプレイされたウェブページを終了させる（Ｓ１７１）。
【００６４】
一方、前記判断結果、ユーザーが選択した特定キーが取消し要請キーである場合、イベント処理モジュール３１０は、現在設定されているマウスモードを解約させてリモコン入力方式を単純モードに変更する（Ｓ１７３）。
【００６５】
すなわち、現在設定されたリモコンモードがマウスモードである時にユーザーが取消し要請キーを選択すれば、ディスプレイされたフラッシュ画面は消える。この時、イベント処理モジュール３１０は、現在設定されているマウスモードで、単純モードに変更されるようにリモコンモード変更モジュール２２０に要請し、それにより、モコンモード変更モジュール２２０はリモコンモードを単純モードに変更する。
【００６６】
一方、前記判断結果、ユーザーが選択した特定キーが所定の機能が設定されたその他のキーである場合、前記その他のキーに設定された特定機能を行う（Ｓ１７４、Ｓ１７５）。
【００６７】
本発明の望ましい実施例を説明する。まず、ユーザーが要請した所定のウェブページをＴＶ画面にディスプレイさせ、前記ユーザーのリモコン入力が受信されるかどうかをチェック及び待機する。ここで、リモコンモードは単純モードとセットされている。
【００６８】
次いで、ユーザーが入力したリモコン信号がチェックされれば、前記ユーザーが入力したリモコン信号のキーコード値をチェックし、前記チェックされたキーコード値が第１グループキーに該当するキーコード値であるか、または第２グループキーに該当するキーコード値であるかを判断する。
【００６９】
例えば、前記判断結果、第１グループキーに該当するキーコード値である場合、現在設定されたリモコンモードをチェックし、チェック結果、単純モードと設定されていると仮定する。ここで、現在リモコンモードが単純モードとセットされているために、リモコン入力はキーイベントで動作される。
【００７０】
次いで、前記ユーザーが入力したリモコンのキーコード値が方向キーである場合、選択フォーカスが位置したオブジェクトの周辺に位置したオブジェクトに選択フォーカスを移動させ、ユーザーのリモコン入力を待機する。
【００７１】
次いで、ユーザーが入力したリモコン信号がチェックされれば、ユーザーが選択したリモコンキーコード値を判断し、前記判断結果、ユーザーが入力したリモコンのキーコード値が選択キーである場合、ユーザーが選択したオブジェクトの種類を判断する。
【００７２】
前記判断結果、フラッシュ形態のオブジェクトである場合、リモコンの入力方式はマウスモードに変更される。なお、リモコンモードがマウスモードであるため、リモコン入力はマウスイベントで動作される。
【００７３】
次いで、ユーザーのリモコン入力を待機して、ユーザーが入力したリモコン信号がチェックされれば、ユーザーが選択したリモコンキーコード値を判断し、前記判断結果、ユーザーが方向ボタンを選択すれば、ユーザーが選択した方向にフラッシュ画面でマウスカーソルが移動する。
【００７４】
次いで、ユーザーが取消し要請キーを選択した場合、前記選択されたキーコード値が第２グループキーであるため、現在設定されたリモコンモードに関係なく取消し要請を行い、それにより、フラッシュ画面が終了され、マウスモードに設定されていたリモコンモードは単純モードに変更される。
【００７５】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【００７６】
本発明は、ＴＶなどのリモコンでオブジェクト選択可能なディスプレイ装置の技術分野に適用できる。
【図面の簡単な説明】
【００７７】
【図１】本発明によるリモコンでオブジェクト選択可能なディスプレイ装置を概略的に示したブロック図である。
【図２】本発明によるリモコンでオブジェクト選択可能なディスプレイ方法を概略的に示したフローチャートである。
【図３】本発明によるリモコンでオブジェクト選択可能なディスプレイ方法のうち、リモコン入力方式がマウスイベントである場合の動作方法を概略的に示したフローチャートである。
【図４】本発明によるリモコンでオブジェクト選択可能なディスプレイ方法のうち、第２グループキー選択時の動作方法を概略的に示したフローチャートである。
【符号の説明】
【００７８】
１００  入力部
２００  リモコンモード管理部
２１０  リモコンモードチェックモジュール
２２０  リモコンモード変更モジュール
３００  制御部
３１０  イベント処理モジュール
３２０  オブジェクト判断モジュール
４００  ディスプレイ部
【図１】
2005229594.tif 000003
【図２】
2005229594.tif 000004
【図３】
2005229594.tif 000005
【図４】
2005229594.tif 000006